(57)【要約】【課題】リアガイダと台枠を一体成型した空気調和機の室内機のリアガイダ上に突起を設け、通風抵抗増加時おいて生じる断続的異常音（サージング）を低減すること。【解決手段】リアガイダ９の上に設けた突起８の天面８ａを水平にすることにより、リアガイダと台枠を一体成型する際、金型を水平に抜けるようにする。【選択図】図３
2006057862.tif 000002
【特許請求の範囲】
【請求項１】
本体内にクロスフローファンと、スタビライザと、熱交換器と、台枠一体成形されたリアガイダとを備えた空気調和機の室内機にあって、前記リアガイダの吹出し口の任意の位置に突起を有し、その突起の天面が水平になっていることを特徴とした空気調和機の室内機。
【請求項２】
前記リアガイダにおいて、突起の外側の側面と内側の側面が、上流から下流にかけて任意の角で拡がることを特徴とする請求項１記載の空気調和機の室内機。
【請求項３】
前記リアガイダにおいて、突起のなす角の頂点がクロスフローファンの任意の仕切り板の下流部に位置することを特徴とする請求項２記載の空気調和機の室内機。
【請求項４】
前記リアガイダにおいて、突起のなす角の頂点がクロスフローファンの左端または右端から２つ目の仕切り板の下流部に位置することを特徴とする請求項３記載の空気調和機の室内機。
【発明の詳細な説明】
【技術分野】
【０００１】
本発明は住宅などの空調に用いる空気調和機の室内機に関するものである。
【背景技術】
【０００２】
従来、この種の空気調和機の室内ユニットは、リアケーシングとスタビライザにより形成されるクロスフローファンより下流側の通風路中に、頂点を上流側に向けた三角柱形状の楔を設けことにより、クロスフローファンによって送風された空気の流れの軸方向乱れを抑制し、空気の流れを整流させてバサツキ音を抑え、空気の流れを円滑にすることができる（例えば、特許文献１参照）。
【０００３】
図７は、特許文献１に記載された従来の空気調和機の室内機の断面略図を示すものである。図７に示すように、クロスフローファン５を、ケーシングを構成するスタビライザ７とリアガイダ９の間に配設し、スタビライザ７とリアガイダ９とで空気の吹き出し口を形成し、送風回路を構成しており、リアガイダ９の少なくとも一方の端部の前記ファン５近傍から前記吹出し口部までの間に設けられた三角柱形状の楔から構成されている。
【特許文献１】特開２００３−６２２３４号公報
【発明の開示】
【発明が解決しようとする課題】
【０００４】
しかしながら、前記従来の構成では、三角柱の効果により、流れの軸方向乱れを抑制し、空気の流れを整流させてバサツキ音を抑え、空気の流れを円滑にすることができるが、一方で、吹き出し口の上から下まで柱が走っているために通風抵抗が大きくなるとともに、本体とリアガイダを一体成形した場合に金型を形成できないという課題を有していた。
【０００５】
本発明は、前記従来の課題を解決するもので、リアガイダと本体の一体成形の室内機において、送風性能の低下を最小限に抑えながら、サージングを抑えることのできる空気調和機の室内機を提供することを目的とする。
【課題を解決するための手段】
【０００６】
前記従来の課題を解決するために、本発明の室内機は、リアガイダの吹出し口の任意の位置に突起を有し、その突起の天面が水平になっていることを特徴としたものである。
【０００７】
これによって、台枠と一体成形されたリアガイダを備えた空気調和機の室内機にあって、端部から中央部分、もしくわ、中央部分において、吹出し速度を改善し、不安定空気流の発生を防止し、空気流の乱れを抑制し、かつ、フィルターに埃が堆積することにより通風抵抗が大きくなった時に生じる断続的異常音（サージング）を低減することのでき、さらには送風性能の低下を最小限に抑えた突起を配することができるようになる。
【発明の効果】
【０００８】
本発明の室内機は、台枠と一体成形されたリアガイダを備えた空気調和機の室内機にあって端部から中央部にかけて、もしくは中央部においても、送風性能の低下を最低限に、サージングを抑えることができる。
【発明を実施するための最良の形態】
【０００９】
第１の発明はリアガイダの吹出し口の端部から中央にかけて任意の位置、もしくわ、中央に突起を配し、その突起の天面が水平が水平になっていることにより、吹出し速度を改善し、不安定空気流の発生を防止し、空気流の乱れを抑制する。また、フィルターに埃が堆積することにより通風抵抗が大きくなった時に生じる断続的異常音（サージング）を低減することができる。
【００１０】
第２の発明は、特に、第１〜３のいずれか１つの発明のリアガイダの突起の外側の面と内側の面が、上流から下流にかけて開いた角を為すことにより、上流からの空気流の流れの向きを変えることとなり、局所的に吹出し速度を改善し、断続的異常音（サージング）を低減することができる。
【００１１】
第３の発明は、特に、第１または第２の発明の室内機のリアガイダの突起の上流にある頂点が、流れの乱れの発生しやすいクロスフローファンの仕切り板の中心の位置に配することにより、効果的にバサツキ音を抑え、空気の流れを円滑にすることができる。
【００１２】
第４の発明は、特に、第３の発明の室内機のリアガイダの突起の上流にある頂点が、クロスフローファンのモータから数えて２連目の仕切り板の中心の位置に配している。空気調和機において、側板付近は側板との摩擦、さらには、モータとクロスフローファンを固定するためのネジを締めるためにブレードが一枚除去されており、それらの原因により、非常に流れの乱れが発生しやすく、そこで発生した不安定流れは軸方向に、その不安定性を伝播することがある。そこで２連目の仕切り板の中心の位置に本発明の突起を配することにより、不安定性の伝播を抑制することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における室内機の外観斜視図を示すものである。
【００１５】
図１において、本体１は台枠２とこの台枠２の前方に取り付けられた前面カバー３とからなり、台枠２および前面カバー３の上部には、吸い込みグリル４が設けられている。
【００１６】
また、図２は、本発明の第１の実施の形態における室内機の断面略図を示すものである。
【００１７】
図２において、本体１はファン５の中心から見て全域を囲むようにスタビライザ７、リアガイダ９、熱交換器６が配されている。
【００１８】
また、図３は、本発明の第１の実施の形態における室内機のリアガイダ９の断面略図を示したものである。
【００１９】
図３において、リアガイダ９と大枠２は一体成型されている。また、リアガイダ９の吹き出し経路上には突起８が配され、突起８の天面８ａは水平となっている。また、矢印ａ，ｂはそれぞれ金型の移動方向を示している。
【００２０】
以上のように構成さ空気調和機において、以下その動作、作用を説明する。
【００２１】
本実施の形態において、リアガイダ９の吹出し口の端部から中央にかけて任意の位置、もしくわ、中央に突起８を配することにより、吹出し速度を改善し、不安定空気流の発生を防止し、空気流の乱れを抑制し、また、フィルターに埃が堆積することにより通風抵抗が大きくなった時に生じる断続的異常音（サージング）を低減することができる。また、突起８の天面８ａが水平になっているため、リアガイダ９と大枠２を一体成型する際にも金型を水平に抜くことが可能となる、部品点数を減らすことができる。
【００２２】
（実施の形態２）
図４は、本発明の第２の実施の形態における室内機のリアガイダ９付近の要部拡大断面斜視図を示したものである。
【００２３】
図４において、リアガイダ９の吹出し口に配された突起８は外側の面と内側の面が、上流から下流にかけて開いた角を為している。
【００２４】
以上のように構成された室内機について、以下その動作、作用を説明する。
【００２５】
本実施の形態においては上流からの空気流の流れの向きを変えることとなり、局所的に吹出し速度を改善し、断続的異常音（サージング）を低減することができる。
【００２６】
（実施の形態３）
図５は、本発明の第３の実施の形態における室内機のリアガイダ９付近の要部拡大断面斜視図を示したものである。
【００２７】
図５において、突起８の上流にある頂点が、多連構造をもつ前記クロスフローファン５の任意の連間仕切り板５ａに対向する位置に配してある。
【００２８】
以上のように構成された室内機について、以下その動作、作用を説明する。
【００２９】
本実施の形態においては、流れの軸方向乱れを抑制し、空気の流れを整流させてバサツキ音を抑え、空気の流れを効果的に円滑化させることができる。
【００３０】
（実施の形態４）
図６は、本発明の第４の実施の形態における室内機のリアガイダ９付近の要部拡大断面斜視図を示すものである。
【００３１】
図６において、突起８の上流にある頂点が、多連構造をもつ前記クロスフローファンのモータ１０の取り付けてある側の端から２つ目の連間仕切り板５ａに対向する位置に配してある。
【００３２】
以上のように構成された室内機について、以下その動作、作用を説明する。
【００３３】
本実施の形態によって、本来、空気調和機の側板付近において、側板との摩擦、さらにはモータとクロスフローファンを固定するためにネジを締めるため一枚除去されたブレードなどにより発生しやすい流れの乱れによる不安定性が軸方向に伝播することを効果的に抑制することができる。
【産業上の利用可能性】
【００３４】
以上のように、本発明にかかる空気調和機の室内機は、断続的異常音（サージング）の低減を図ることが可能となるので、空気調和機のみならず、クロスフローファンを用いるあらゆる用途に適用できる。
【図面の簡単な説明】
【００３５】
【図１】本発明の実施の形態１における空気調和機の室内機の外観斜視図
【図２】同空気調和機の室内機の断面略図
【図３】同空気調和機の台枠と一体成形されたリアガイダの断面略図
【図４】本発明の実施の形態２における空気調和機の室内機のリアガイダ付近の要部拡大断面斜視図
【図５】本発明の実施の形態３における空気調和機の室内機のリアガイダ付近の要部拡大断面斜視図
【図６】本発明の実施の形態４における空気調和機の室内機のリアガイダ付近の要部拡大断面斜視図
【図７】従来の空気調和機の室内機の断面略図
【符号の説明】
【００３６】
１  空気調和機本体
２  台枠
３  前面カバー
４  吸い込みグリル
５  ファン（クロスフローファン）
５ａ  仕切り板
６  熱交換器
７  スタビライザ
８  突起
９  リアガイダ
【図１】
2006057862.tif 000003
【図２】
2006057862.tif 000004
【図３】
2006057862.tif 000005
【図４】
2006057862.tif 000006
【図５】
2006057862.tif 000007
【図６】
2006057862.tif 000008
【図７】
2006057862.tif 000009